(57)【要約】      （修正有）【課題】従来の温熱治療用マット等に比べて、更に血流改善を促進させる仕組みを充実させることで、健康・美容効果をより高めることができるマットを提供する。【解決手段】所定の大きさを有するプレート状のクッション２と、クッションに形成された凹部２１に配設されるコイル３と、コイルに接続されてパルス電流を供給する電源装置と、を備えており、コイルからパルス電磁界を生じさせ、そのパルス電磁界をマットの上に横たわった使用者の身体に作用させることにより、電気的・磁気的刺激により筋肉をほぐし、血液循環を改善・促進して、筋肉の痛みを緩和させるようにした。クッションに、電気ヒーター４、マイナスイオンシート５、物品保持シート６が積層され、外装材で被われているのが好ましい。【選択図】図２
0003203499.tif 000002
【実用新案登録請求の範囲】
【請求項１】
所定の大きさを有するプレート状のクッションと、該クッションに形成された凹部に配設されるコイルと、前記コイルに接続されてパルス電流を供給する電源装置と、を備えており、前記コイルからパルス電磁界を発生させることを特徴とするマット。
【請求項２】
最上面にメッシュ生地で形成された物品保持シートが積層されており、赤色ＬＥＤが前記メッシュ生地の網目から部分的に露出するように前記物品保持シートに保持されており、前記赤色ＬＥＤを発光させる電源装置が接続されていることを特徴とする請求項１に記載のマット。
【請求項３】
前記クッションの上面側にシート状の電気ヒーターが積層されており、該電気ヒーターを発熱させる電源装置が接続されていることを特徴とする請求項１又は２記載のマット。
【請求項４】
前記電気ヒーターの上面側にマイナスイオンシートが積層されており、該マイナスイオンシートは加熱により大気中の原子を電離させるマイナスイオン発生物質が含有されていることを特徴とする請求項３に記載のマット。
【請求項５】
最上面にメッシュ生地で形成された物品保持シートが積層されており、該物品保持シートにトルマリンが保持されていることを特徴とする請求項３又は４記載のマット。
【請求項６】
最上面にメッシュ生地で形成された物品保持シートが積層されており、該物品保持シートに翡翠が保持されていることを特徴とする請求項３乃至５の何れかに記載のマット。
【請求項７】
前記電気ヒーターの上面側に電磁波シールドシートが積層されており、該電磁波シールドシートが前記コイル及び前記電気ヒーターから発生する電磁波が所定の基準値を超過して使用者の身体に作用しないように所定の透磁率に調整されていることを特徴とする請求項１乃至６の何れかに記載のマット。
【考案の詳細な説明】
【技術分野】
【０００１】
本考案は、血流改善及び細胞修復による健康・美容効果が得られるマットに関する。
【背景技術】
【０００２】
従来、天然放射性鉱物を含有するセラミックプレートが複数箇所に分散配置されており、人が横たわれる大きさを有するプレート状のクッションと、そのクッションの下面側に設けられる電気ヒーターと、これらの全体を被う外装カバーとを備えている温熱治療用マットが提案されている。
【０００３】
上記従来の温熱治療用マットは、マット上に横たわる使用者の身体がセラミックプレートに接触することで生じる違和感をクッションで緩和しながら、電気ヒーターによる温熱効果とヒーターで加熱されたセラミックプレートから放射される遠赤外線による温浴効果とで使用者の血流を改善し、発汗を促して新陳代謝を高めて、セラミックプレートに含まれる天然放射性鉱物からの微量放射線によるホルシミス効果で免疫力を向上させることを狙いとしている（例えば、特許文献１参照）。
【先行技術文献】
【特許文献】
【０００４】
【特許文献１】実用新案登録第３１２４２５０号公報
【考案の概要】
【考案が解決しようとする課題】
【０００５】
しかし、上記従来の温熱治療用マットは、電気ヒーターの発熱やセラミックプレートが放射する遠赤外線で身体を温めて、天然放射性鉱物の微量放射線を作用させているだけであり、十分な健康効果を得るためには更なる改善が望まれるところである。
【０００６】
本考案は、上記従来の温熱治療用マット等に比べて、更に血流改善及び細胞修復を促進させる仕組みを充実させることで、健康・美容効果をより高めることができるマットを提供するものである。
【課題を解決するための手段】
【０００７】
本考案の請求項１は、所定の大きさを有するプレート状のクッションと、該クッションに形成された凹部に配設されるコイルと、前記コイルに接続されてパルス電流を供給する電源装置と、を備えており、前記コイルからパルス電磁界を発生させることを特徴とするマットを提供する。
【０００８】
本考案の請求項２は、最上面にメッシュ生地で形成された物品保持シートが積層されており、赤色ＬＥＤが前記メッシュ生地の網目から部分的に露出するように前記物品保持シートに保持されており、前記赤色ＬＥＤを発光させる電源装置が接続されていることを特徴とする請求項１記載のマットを提供する。
【０００９】
本考案の請求項３は、前記クッションの上面側にシート状の電気ヒーターが積層されており、該電気ヒーターを発熱させる電源装置が接続されていることを特徴とする請求項１又は２記載のマットを提供する。
【００１０】
本考案の請求項４は、前記電気ヒーターの上面側にマイナスイオンシートが積層されており、該マイナスイオンシートは加熱により大気中の原子を電離させるマイナスイオン発生物質が含有されていることを特徴とする請求項３に記載のマットを提供する。
【００１１】
本考案の請求項５は、最上面にメッシュ生地で形成された物品保持シートが積層されており、該物品保持シートにトルマリンが保持されていることを特徴とする請求項３又は４記載のマットを提供する。
【００１２】
本考案の請求項６は、最上面にメッシュ生地で形成された物品保持シートが積層されており、該物品保持シートに翡翠が保持されていることを特徴とする請求項３乃至５の何れかに記載のマットを提供する。
【００１３】
本考案の請求項７は、前記電気ヒーターの上面側に電磁波シールドシートが積層されており、該電磁波シールドシートが前記コイル及び前記電気ヒーターから発生する電磁波が所定の基準値を超過して使用者の身体に作用しないように所定の透磁率に調整されていることを特徴とする請求項１乃至６の何れかに記載のマットを提供する。
【考案の効果】
【００１４】
本考案の請求項１記載のマットによれば、コイルから生じるパルス電磁界をマット上に横たわった使用者に作用させて、電気的・磁気的刺激により筋肉をほぐし、血液循環を改善・促進して、筋肉の痛みを緩和させるという優れた効果を奏し得る。
【００１５】
本考案の請求項２記載のマットによれば、請求項１記載のマットが奏する効果に加えて、赤色ＬＥＤの発光が使用者の皮膚に照射されることにより、光老化に対する細胞修復（アンチエイジング）等による美容効果を成すという優れた効果を奏し得る。
【００１６】
本考案の請求項３記載のマットによれば、請求項１又は２記載のマットが奏する効果に加えて、コイルから生じるパルス電磁界と、電気ヒーターによる温熱効果が相俟って、血液循環がより一層改善されるという優れた効果を奏し得る。
【００１７】
本考案の請求項４記載のマットによれば、請求項３記載のマットが奏する効果に加えて、電気ヒーターで加熱されたマイナスイオンシートが、マイナスイオンを発生させて、使用者の疲労回復やストレス解消などの健康増進効果を発揮するという優れた効果を奏し得る。
【００１８】
本考案の請求項５記載のマットによれば、請求項３又は４記載のマットが奏する効果に加えて、電気ヒーターで加熱されたトルマリンがマイナスイオンを発生させて、健康増進効果を発揮するという優れた効果を奏し得る。
【００１９】
本考案の請求項６記載のマットによれば、請求項３乃至５の何れかに記載のマットが奏する効果に加えて、電気ヒーターで加熱された翡翠がマイナスイオンを発生させて、健康増進効果を発揮するという優れた効果を奏し得る。
【００２０】
本考案の請求項７記載のマットによれば、請求項１乃至６記載のマットが奏する効果に加えて、電気ヒーターやコイルによる電磁気が所定の安全基準値を超過して、使用者の身体に作用する悪影響を防止するという優れた効果を奏し得る。
【図面の簡単な説明】
【００２１】
【図１】本考案に係るマット（電源コントローラを除く本体部）を示す図。
【図２】図１のマット内部の積層構造を説明する図。
【図３】図１のマットの電源コントローラを示す図。
【図４】（ａ）マット及び（ｂ）電源コントローラの他の例を示す図。
【考案を実施するための形態】
【００２２】
以下、本考案の実施形態に係るマット１について、図１乃至図３を参照しながら説明する。なお、図２は、マット１の内部における積層構造を説明するため、マットを便宜的に記載したものであり、図１のマットとは、クッションの大きさやＬＥＤ等の配列は一致しない。
【００２３】
マット１は、図２に示すように、厚みのあるクッション２に、コイル（パルス電磁界発生装置）３を内蔵し、これらに電気ヒーター４、マイナスイオンシート５、物品保持シート６が積層されたものを外装材で被うことで形成されるマット本体部と、これに接続される電源コントローラ（電源装置）７を備えてなる。物品保持シート６には、多数のＬＥＤ（発光ダイオード）６４、トルマリン６５及び翡翠６６が整列状態で保持されている。なお、マット本体部において、電気ヒーター４とマイナスイオンシート５の間には、更に電磁波シールドシート８１、消臭シート８２及び遮熱シート８３が挟み込まれている。
【００２４】
クッション２は、一名の人が横たわれるシングルサイズ（長さ１９０ｃｍ×幅１００ｃｍ／シングルサイズ）を有するポリエステル樹脂等の合成繊維からなる圧縮不織布で形成されており、使用者に底付きによる不快感を与えないように２５ｍｍ程度の厚さに設定されている。クッション２の上面には、１又は２以上の凹部２１が設けられており、当該凹部２１にパルス電磁界発生装置の一部を成すコイル３が収容されている。  
【００２５】
パルス電磁界発生装置は、電源コントローラ７に内蔵される電流制御回路を用いて、クッション２の凹部２１に収納されているコイル３にパルス電流を供給することにより、コイル３の周囲にパルス電磁界を生じさせるものである。これにより、横たわった使用者の肩部や腰部に対応する位置にそれぞれコイルを配設しておくことで、患部に対して効率的にパルス電磁界を作用させることができる。なお、当該パルス電磁界によって発生する最大磁力は４００ガウスに設定されている。
【００２６】
同じ姿勢を長時間続けると、肩・腰などの筋肉に血行不良による酸素供給不足が生じ、一旦、肩こりや腰痛が悪化すると筋肉が固まって、単純に温めただけでは回復させることが難しい。しかし、パルス電磁界による電気的・磁気的刺激による筋肉ほぐし効果と、後述する電気ヒーター４による温熱効果やトルマリンや翡翠による遠赤外線効果が相俟って、効率よく血液循環を改善・促進して早期に痛みを緩和させることができる。
【００２７】
パルス電磁界発生装置は、電源コントローラ７に設けられたＰＥＭＦ（Ｐｕｌｓｉｎｇ  Ｅｌｅｃｔｒｉｃ  Ｍａｇｎｅｔｉｃ  Ｆｉｅｌｄ）スイッチ７１を操作することでパルス電磁界信号を発生する。但し、長時間に亘り連続運転すると、人体に対するパルス電磁界の副作用が懸念されるため、スイッチＯＮにしておいた場合でも、２０分の信号発生と１．５時間の信号停止が交互に繰り返されるように設定されている。
【００２８】
電気ヒーター４は、電源コントローラに接続される電熱線４１と、電熱線４１に組み込まれており電熱線４１の温度が高くなり過ぎたときに通電をカットする安全装置としてのバイメタル（不図示）を防水性と耐熱性を有する上下２枚の不織布４２の間に挟んだ状態で縫い込んでなるシート状のヒーターである。電気ヒーターは、通電されることで発熱し、使用者に対して温熱（温浴）効果を与えると共に、後述するマイナスイオンシート、トルマリン、翡翠を加熱して、マイナスイオンの発生や遠赤外線の放射を促進する。
【００２９】
電熱線４１は、シート全面に偏りなく広がるよう九十九折状に配置されているが、これを挟む不織布４２を単純に縫い合わせるだけでは、電熱線４１が固定されずに動いて、隣接配置されている部分どうしが相互に接触して短絡するおそれがある。そのため、不織布４２の縫目線４３は、電熱線の４１の隣接配置されている部分どうしを隔離する仕切りを成すように設定されている。なお、電気ヒーター４は、上下の不織布４２を接着剤等で貼り合わせて電熱線４１を挟み込むようにしても良い。
【００３０】
電気ヒーター４は、電源コントローラに設けられた温度調整ダイヤルスイッチ７２，７２を操作することにより、ＯＮ、ＯＦＦ及びＯＮ状態における温度調節をすることができるほか、加温時間設定スイッチボタン７３，７３を操作することにより、加熱時間を４時間、８時間又は１２時間のいずれかに設定することができる。各スイッチが２つずつあるのは、使用者の患部の位置に応じて、マット１を左右半分ずつに分けて操作できるようにするためである。
【００３１】
マイナスイオンシート５は、マイナスイオン発生物質を含有させたナイロン樹脂、ポリエステル樹脂、アクリル樹脂、ポリエチレン樹脂、ポリプロピレン樹脂、ポリウレタン樹脂等の合成樹脂製シートで形成されている。これらの合成樹脂製シートは、微粒子化したマイナスイオン発生物質を混練した合成繊維で形成した織布あるいは不織布である。
【００３２】
マイナスイオンシート５が含有するマイナスイオン発生物質には、加熱されたときに大気中の原子を電離させてマイナスイオンを発生するとされるトルマリン等の天然鉱石や竹炭等を粉砕したものが採用される。マイナスイオン発生物質に作用して、マイナスイオン発生を促進する触媒・励起材を混合させたものを採用しても良い。
【００３３】
本実施形態では、外気に対する接触表面積が大きい布状シートを採用して、マイナスイオン発生物質による電離作用を促進させるようにしている。但しこれに限らず、布状シートに代えてフィルム状シートを採用しても良いし、合成繊維に代えて紙や木綿・麻・リネンあるいはウール等の天然繊維で形成したシートを採用しても良い。マイナスイオン発生物質は、シート素材に混練するほか、塗料やコーティング剤等に混合したものを素材表面に塗布して含有させるようにしても良い。
【００３４】
マイナスイオンは、滝の周辺では、細胞が活性化されると共に気分がリフレッシュされると言われることに関連して、滝つぼで水が急激に粒子化されることにより生じた微粒子状の水が負の荷電粒子となって空気中を漂い、周囲を帯電させるレナード効果が注目されている。そのことから、マイナスイオンを多く浴びることが疲労回復やストレス解消などの健康増進効果をもたらすとされている。
【００３５】
物品保持シート６は、ポリ塩化ビニル等の防水性・耐熱性を有する合成樹脂製の素材シート６１と、その上面を被うように重ね合わせられたメッシュ生地の素材シート６２を部分的に接合（接着、溶着、縫合等）して一体化加工したもので、マット１の最上面に露出するように取り付けられる。素材シート６１と６２の接合部が、格子形状の仕切りを形成するように設けられることで縦横方向に整列する多数の小間６３が設けられている。
【００３６】
素材シート６１と６２を接合して物品保持シート６を形成する際は、それらの素材シート間に、後述する個別物品（タブレット状に形成されたＬＥＤ６４、トルマリン６５及び翡翠６６）を挟み込んだ状態で加工が行われる。これにより各小間６３には各物品がずれないように保持され、結果として、所定個数のＬＥＤ６４、トルマリン６５及び翡翠６６が縦横方向に整列している。この実施形態に係るマット１では、ＬＥＤ２３個、トルマリン３９個、翡翠１３６個が保持されている
【００３７】
各個別物品は、マット１の最上面を被う素材シート６２の網目に対応する部分が外部に露出しているため、その部分から、マット１上に横たわった使用者に対して後述する健康・美容効果を直接作用させることができる。個別物品はすべてタブレット形状になっているため、マット１の最上面に配設されていても、使用者はあまり気にすることなく横たわることができる。
【００３８】
ＬＥＤ６４は、いわゆる赤色ＬＥＤであり、タブレット状に形成されていて、その中央部に発光素子を有している。物品保持シート６の裏面側から導出されるリード線（図示なし）を介して電源コントローラ７に接続されており、通電されると発光して、メッシュ生地の素材シート６２の網目からマット１上に横たわった使用者に対して赤色光線（波長６６０ナノメートル）を直接照射することができる。
【００３９】
ＬＥＤ６４は、電源コントローラ７に設けられた光子スイッチボタン７４を操作することにより照射を開始するが、あまり長時間に亘り連続照射すると、人体に対する副作用が懸念されるため、スイッチＯＮにすると、自動的に１時間照射と４時間停止が交互に繰り返されるように設定されている。
【００４０】
赤色ＬＥＤの赤色光線（波長６１０〜６６０ナノメートル）は、波長が長いことから、美容皮膚科の研究分野においては、皮膚に照射されると、真皮の奥深くまで届いてシワや乾燥肌を改善するとされ、光老化に対するアンチエイジング効果があるともされている。なお、美容皮膚科医学会では、培養ヒト線維芽細胞に対して赤色ＬＥＤを照射した場合、照射群は、非照射群よりも細胞増殖能が有意に高められ、あるいはヒアルロン酸量が増加することを検証した論文が発表されている（Ａｅｓｔｈｅｔｉｃ  Ｄｅｒｍａｔｏｌｏｇｙ  Ｖｏｌ．１８：３０〜３４、２００８）。
【００４１】
トルマリン６５は、電気石とも呼ばれるケイ酸塩鉱物の天然鉱石であり、加熱により、他の物質に比べてより多くの遠赤外線を放射し、体の芯を温める岩盤浴のような効果を発揮するとされている。また、トルマリンの結晶体は帯電することに起因して、マイナスイオンを発生すると言われている。なお、本実施形態のマット１では、トルマリン６５が電気ヒーター４に加熱されることで遠赤外線を大量に放出することができる。遠赤外線は、人体に対して放射されると、皮膚の表面で熱に変わることにより身体を温めて、それが持続的に行われることにより、血流を改善して、体の冷えを解消する効果がある。
【００４２】
翡翠６６は、ジェイドストーンとも呼ばれる天然鉱石であり、トルマリンと同様に遠赤外線を放射し、マイナスイオンを発生するとされている。なお、翡翠は、トルマリンに比べてマイナスイオン発生量が少ないとされるが、マット１に適用する鉱石を高価なトルマリンのみにすると、コスト負担が大きくなりすぎることから、翡翠を補完的に採用している。
【００４３】
電源コントローラ７は、上述したように、パルス電磁界発生装置、電気ヒーター４及びＬＥＤ６４のスイッチ類を備える電源装置であるが、これ自体がマイナスイオン発生装置としての機能も有しており、ＩＯＮスイッチ７５を操作することにより、マイナスイオン発生口７６からマイナスイオンを発生させることができる。
【００４４】
電磁波シールドシート８１は、表面に金属メッキを施した繊維を用いた布等で、所定の透磁率に調整された電磁波減衰シート又は電磁波吸収シートで形成されており、電気ヒーター４の上面側を被うように設けられている。コイル３及び電気ヒーター４から発生する電磁波が所定の安全基準値を超過して、使用者の身体に作用することによる悪影響を防止するために採用されている。
【００４５】
消臭シート８２は、木炭粉砕物を含有するシート又は木炭粉砕物で表面コーティングしたシートで形成されている。木炭で空気中の臭い物質等を吸着させることで消臭効果を得るためのものである。シート素材としては、マイナスイオン発生層を形成するシートと同様に布状やフィルム状のものが採用される。
【００４６】
遮熱シート８３は、長時間使用しても電気ヒーター４の熱で使用者が低温やけどしないように電気ヒーター４の上面側を被うものであり、遮熱性を有するシート素材で形成されている。但し、厚手のウレタン材をアルミ箔等で被覆したようなシート素材を採用すると、電気ヒーター４からの熱が完全に遮断されて逆に温熱効果やトルマリン等によるマイナスイオン発生が妨げられるため、使用者の身体とヒーターが近づきすぎない程度の距離（隙間）を確保できて、布材のように通気性を有する、薄手のグラスウール製シート等が用いられている。
【００４７】
図４は、本考案に係るマットの他の一例を示したものである。旅行先などに携帯して使えるように、本体部９１がミニサイズ（長さ９０ｃｍ×幅４０ｃｍ）に形成されており、物品保持シートからトルマリンが省かれている。また、電源コントローラ９２も簡素化されており、コントローラからのマイナスイオン発生機能が省かれている。なお、マットのサイズは、上記のものに限らず、キングサイズ（長さ１９０ｃｍ×幅１８０ｃｍ）、クイーンサイズ（長さ１９０ｃｍ×幅１５０ｃｍ）、コンパクトサイズ（長さ１５０ｃｍ×幅６０ｃｍ）などを設定することができ、物品保持シートに保持する物品について様々な配置パターンを採用することができる。
【符号の説明】
【００４８】
１    マット
２    クッション
３    コイル（パルス電磁界発生装置）
４    電気ヒーター
５    マイナスイオンシート
６    物品保持シート
６４  ＬＥＤ
６５  トルマリン
６６  翡翠
７    電源コントローラ（電源装置）
８１  電磁波シールドシート
８２  消臭シート
８３  遮熱シート
【図１】
0003203499.tif 000003
【図２】
0003203499.tif 000004
【図３】
0003203499.tif 000005
【図４】
0003203499.tif 000006